(57)【要約】  本発明は、演奏者が弦楽器の弦を片手でかき鳴らしながらパーカッションシステムを叩けるように弦楽器に取り付けられるパーカッションシステムを対象とする。このパーカッションシステムは、胴体とこの胴体の上に配置された少なくとも１つの静止打面とを含むパーカッション装置を含む。打面はバッタ側を有する。パーカッションシステムは、パーカッションシステムが弦楽器に接続されたときに打面が弦楽器の表側に対してほぼ垂直になり、且つ弦楽器の弦の方に向くように、パーカッション装置を弦楽器に接続するための接続要素を更に含む。【選択図】図２Ａ
2018523856.tif 000002
【特許請求の範囲】
【請求項１】
パーカッションシステムであって、
パーカッション装置であって、
胴体と
前記胴体上に配置された少なくとも１つの静止打面であって、バッタ側を有する打面と、
を備えたパーカッション装置と、
前記パーカッションシステムが弦楽器に接続されたときに前記打面が前記弦楽器の表側に対してほぼ垂直になり、且つ前記弦楽器の弦の方に向くように、前記パーカッション装置を前記弦楽器に接続するための接続要素と、
を備えたパーカッションシステム。
【請求項２】
前記胴体は共鳴箱であり、前記少なくとも１つの打面は前記共鳴箱の開口部上に配置される、請求項１に記載のパーカッションシステム。
【請求項３】
前記胴体は中空体である、請求項１に記載のパーカッションシステム。
【請求項４】
前記胴体は枠であり、前記少なくとも１つの打面は前記枠上に載置される、請求項１に記載のパーカッションシステム。
【請求項５】
前記接続要素は、演奏者が前記弦楽器の前記弦を前記演奏者の弾き手でかき鳴らしながら前記打面を打てるように、前記パーカッションシステムを前記弦楽器に接続する、請求項１〜４の何れか一項に記載のパーカッションシステム。
【請求項６】
前記接続要素は、前記パーカッションシステムの位置の調整を可能にするように構成される、請求項５に記載のパーカッションシステム。
【請求項７】
前記接続要素は、前記パーカッションシステムの向きの調整を可能にするように更に構成される、請求項５に記載のパーカッションシステム。
【請求項８】
前記接続要素は、前記打面に対して垂直な前記胴体の側面に配置され、取り外し可能な粘着シール、吸盤、面ファスナ、ボルト、磁石、および少なくとも１つのネジ、のうちの少なくとも１つである、請求項１〜７の何れか一項に記載のパーカッションシステム。
【請求項９】
前記接続要素は、前記打面が前記弦楽器の表側に対してほぼ垂直になり、且つ前記弦楽器の弦の方に向くように、前記パーカッション装置を前記弦楽器に取り外し可能に接続するように構成されたクランプである、請求項１〜７の何れか一項に記載のパーカッションシステム。
【請求項１０】
前記少なくとも１つの打面は前記胴体に伸張された弾性材料を備える、請求項１〜９の何れか一項に記載のパーカッションシステム。
【請求項１１】
前記少なくとも１つの打面は硬質材料製の板を備え、前記板は、前記胴体上に載置され、前記板の少なくとも１つの側から前記胴体に接続される、請求項１〜９の何れか一項に記載のパーカッションシステム。
【請求項１２】
前記打面は交換可能である、請求項１〜１１の何れか一項に記載のパーカッションシステム。
【請求項１３】
ラトラを更に備える、請求項１〜１２の何れか一項に記載のパーカッションシステム。
【請求項１４】
前記ラトラは、スネアドラムワイヤ、チェーン、およびドッグタグチェーン、のうちの少なくとも１つを備える、請求項１３に記載のパーカッションシステム。
【請求項１５】
前記打面は、少なくとも１つのバス音形成要素を備える、請求項１〜１４の何れか一項に記載のパーカッションシステム。
【請求項１６】
前記バス音要素は、電気式バス音要素であり、前記パーカッションシステムは、
前記電気式バス音形成要素の少なくとも１つの表面を覆うための少なくとも１つの減衰要素を更に備える、
請求項１５に記載のパーカッションシステム。
【請求項１７】
前記電気式バス音形成要素は、圧電素子、マイクロフォン、およびコイルが巻き付けられた磁石、のうちの少なくとも１つである、請求項１６に記載のパーカッションシステム。
【請求項１８】
前記パーカッションシステムの近傍における動きを検出するための動き検出器を更に備え、前記動き検出器は発音ユニットと通信可能である、請求項１〜１７の何れか一項に記載のパーカッションシステム。
【請求項１９】
前記打面は、電子ドラムのトリガを少なくとも１つ備える、請求項１〜１８の何れか一項に記載のパーカッションシステム。
【請求項２０】
前記少なくとも１つのトリガは、タッチスクリーン、圧電素子、および動きセンサ、のうちの少なくとも１つを含む、請求項１９に記載のパーカッションシステム。
【請求項２１】
パーカッションシステムであって、
バッタ側を有する打面と、
アクチュエータと、
タッピング要素と、
伝達ユニットと、
第１の接続要素と、
を備え、
前記アクチュエータは、前記打面の前記バッタ側が打たれたときに第１の軸線に沿って移動するように構成され、
前記伝達ユニットは、前記第１の軸線に沿った前記アクチュエータの移動を第２の軸線に沿ったタッピング要素の移動に変換するように構成され、
前記第１の軸線と前記第２の軸線とは互いに対してほぼ垂直であり、
前記第１の接続要素は、前記パーカッションシステムが前記弦楽器に接続されたときに前記打面の前記バッタ側が前記弦楽器の表板に対してほぼ垂直になり、且つ前記弦楽器の弦の方に向くように、前記パーカッションシステムを弦楽器に接続するように構成される、パーカッションシステム。
【請求項２２】
前記パーカッションシステムが前記弦楽器に接続されているときに前記アクチュエータを移動させると、前記タッピング要素が前記弦楽器の共鳴箱を叩く、請求項２１に記載のパーカッションシステム。
【請求項２３】
胴体を更に備える、請求項２１〜２２の何れか一項に記載のパーカッションシステム。
【請求項２４】
前記伝達ユニットは、スリーブの内側に挿入されたケーブルを備え、前記ケーブルは第１の端部と第２の端部とを有し、前記第１の端部は前記アクチュエータに接続され、前記第２の端部は前記タッピング要素に接続される、請求項２１〜２３の何れか一項に記載のパーカッションシステム。
【請求項２５】
前記スリーブの少なくとも一方の端部が前記胴体に固定され、前記ケーブルは前記スリーブ内を摺動するように構成される、請求項２４に記載のパーカッションシステム。
【請求項２６】
前記タッピング要素は、
タッピングヘッドと、
前記タッピングヘッドに一端で接続されたシャフトと、
前記タッピング要素を前記パーカッションシステムの前記胴体に接続するための第２の接続要素と、
を備え、
前記タッピングヘッドは前記胴体の外側に配置され、
前記ケーブルは前記接続要素に静的に接続されたリングに挿入され、前記ケーブルは、前記シャフトの他端に更に接続され、引っ張られたときに、前記ケーブルが前記シャフトの他端を前記第２の接続要素に向けて押すことによって前記タッピングヘッドに前記弦楽器の表板を打たせるようになっている、請求項２４または２５に記載のパーカッションシステム。
【請求項２７】
前記タッピング要素はばねを更に備え、
前記ばねは、前記シャフトが前記ケーブルによって押されたときに圧縮するように、そうでないときは伸長状態に戻るように、構成される、請求項２６に記載のパーカッションシステム。
【請求項２８】
前記第１の接続要素は、演奏者が前記弦楽器の前記弦を前記演奏者の弾き手でかき鳴らしながら前記打面の前記バッタ側を打てるように、前記パーカッションシステムを前記弦楽器に接続する、請求項２１〜２７の何れか一項に記載のパーカッションシステム。
【請求項２９】
前記第１の接続要素は、前記パーカッションシステムの位置の調整を可能にするように構成される、請求項２１〜２８の何れか一項に記載のパーカッションシステム。
【請求項３０】
前記第１の接続要素は、前記パーカッションシステムの向きの調整を可能にするように更に構成される、請求項２１〜２８の何れか一項に記載のパーカッションシステム。
【請求項３１】
前記第１の接続要素は、前記打面に対して垂直な前記胴体の側面に配置され、取り外し可能な粘着シール、吸盤、面ファスナ、およびボルト、磁石、および少なくとも１つのネジ、のうちの少なくとも１つである、請求項２１〜３０の何れか一項に記載のパーカッションシステム。
【請求項３２】
前記第１の接続要素は、前記打面が前記弦楽器の表側に対してほぼ垂直になり、且つ前記弦楽器の弦の方に向くように、前記パーカッションシステムを前記弦楽器に取り外し可能に接続するように構成されたクランプである、請求項２１〜３０の何れか一項に記載のパーカッションシステム。
【発明の詳細な説明】
【背景技術】
【０００１】
「ワンマンバンド」とは、通常、種々の楽器、例えば、ギター、ハーモニカ、および演奏者の足で操作されるビートドラム、を同時に演奏する一人の演奏者を言う。これら種々の楽器の全てを演奏するこの演奏者は、人体のさまざまな部分（例えば、ギターを演奏する両手、ハーモニカを演奏する口と呼吸、および足）に意識を集中し、これらを連係させる必要がある。２つ以上の楽器を一緒に組み合わせるための、例えば、弦をかき鳴らしながら、またはそれに加え、音を発生させるための電子ドラムトリガをギターの側板に追加するための、試みがいくつか成されている。
【０００２】
ギターまたは他の弦楽器に取り付けられるパーカッション装置の大半は、電子ドラム、圧電素子、タッチスクリーン、または同様のものなどの電子装置がベースになっている。このような装置が発生させる音は、アコースティックドラムをリアルタイムで打つことによって音響的に形成されるのではなく、事前に電子的に録音されており、その後に装置が起動（トリガ）されたときに再生される。大半の要素（例えば、圧電素子）は、弦をかき鳴らす前または後に（しかし、かき鳴らしながらではなく）演奏者が片手で装置を打てるように、弦楽器の共鳴箱に取り付けられている。
【発明の概要】
【課題を解決するための手段】
【０００３】
本発明の複数の実施形態は、演奏者が弦楽器の弦を片手でかき鳴らしながらパーカッションシステムを演奏できるように、弦楽器に取り付けられるパーカッションシステムを対象とし得る。このパーカッションシステムは、胴体とこの胴体上に配置された少なくとも１つの静止打面とを含むパーカッション装置を含み得る。打面はバッタ側を有する。このパーカッションシステムは、パーカッションシステムが弦楽器に接続されたときに打面が弦楽器の表側に対してほぼ垂直になり、且つ弦楽器の弦の方に向くように、パーカッション装置を弦楽器に接続するための接続要素を更に含み得る。
【０００４】
他の一部の実施形態は、バッタ側を有する打面と、アクチュエータと、タッピング要素と、伝達ユニットと、第１の接続要素とを含むパーカッションシステムを対象とし得る。一部の実施形態において、アクチュエータは、打面のバッタ側が打たれたときに第１の軸線に沿って移動するように構成され得る。一部の実施形態において、伝達ユニットは、第１の軸線に沿ったアクチュエータの移動を第２の軸線に沿ったタッピング要素の移動に変換するように構成される。一部の実施形態において、第１の軸線と第２の軸線とは互いに対してほぼ垂直である。一部の実施形態において、第１の接続要素は、パーカッションシステムが弦楽器に接続されたときに打面のバッタ側が弦楽器の表板に対してほぼ垂直になり、且つ弦楽器の弦の方に向くように、パーカッションシステムを弦楽器に接続するように構成される。
【０００５】
本発明と見なされる主題は、本明細書の結論部分に詳細に指摘され、且つ明瞭に記載されている。ただし、本発明は、編成および操作方法の両方に関して、ならびにその目的、特徴、および利点に関して、以下の詳細な説明を参照し、添付の図面と共に読まれることによって最もよく理解され得る。
【図面の簡単な説明】
【０００６】
【図１Ａ】本発明の一部の実施形態による一例示的パーカッションシステムの図である。
【図１Ｂ】本発明の一部の実施形態による一例示的パーカッションシステムの図である。
【図２Ａ】本発明の一部の実施形態による弦楽器に接続された例示的パーカッションシステムの図である。
【図２Ｂ】本発明の一部の実施形態による弦楽器に接続された例示的パーカッションシステムの図である。
【図２Ｃ】本発明の一部の実施形態による単一の弦楽器上の２つのパーカッションシステムの組み付けの図である。
【図３Ａ】本発明の一部の実施形態による一例示的パーカッション装置の図である。
【図３Ｂ】本発明の一部の実施形態による一例示的パーカッション装置の図である。
【図４Ａ】本発明の一部の実施形態による一例示的パーカッションシステムの図である。
【図４Ｂ】本発明の一部の実施形態による一例示的パーカッションシステムの図である。
【図５Ａ】弦楽器に接続された本発明の一部の実施形態による一例示的パーカッション装置の図である。
【図５Ｂ】弦楽器に接続された本発明の一部の実施形態による一例示的パーカッション装置の図である。
【図５Ｃ】本発明の一部の実施形態による一例示的パーカッション装置の図である。
【図６Ａ】本発明の一部の実施形態による一例示的パーカッションシステムの図である。
【図６Ｂ】本発明の一部の実施形態による一例示的パーカッションシステムの図である。
【図６Ｃ】本発明の一部の実施形態による一例示的パーカッションシステムの図である。
【図７Ａ】本発明の一部の実施形態による一例示的パーカッションシステムの図である。
【図７Ｂ】本発明の一部の実施形態による一例示的パーカッションシステムの図である。
【図７Ｃ】本発明の一部の実施形態による一例示的パーカッションシステムの図である。
【図８Ａ】本発明の一部の実施形態によるパーカッションシステムの一例の図である。
【図８Ｂ】本発明の一部の実施形態による接続要素の図である。
【図８Ｃ】本発明の一部の実施形態による接続要素の図である。
【発明を実施するための形態】
【０００７】
図の簡素化および明瞭化のために、各図に示されている要素は必ずしも同じ縮尺で描かれているとは限らないことを理解されたい。例えば、これら要素の一部の寸法は、明瞭化のために、他の要素より誇張されていることがある。更に、対応または類似する要素を示すために、適切と考えられた場合、参照符号がこれらの図の間で繰り返されていることがある。
【０００８】
以下の詳細な説明においては、本発明の完全な理解をもたらすために、多くの具体的な詳細が述べられている。ただし、これら具体的な詳細なしに本発明が実施され得ることを当業者は理解するであろう。また、本発明を曖昧にしないように、周知の方法、手順、および構成要素については詳細に説明されていない。
【０００９】
本発明の複数の実施形態は、演奏者が片手で弦楽器の弦をかき鳴らしながらパーカッションシステムも演奏できるように弦楽器に取り付けられるパーカッションシステムを対象とし得る。この弦楽器は、ギター、シタール、エレキギター、エレキベース、ダブルベース、ルバーブ、バンジョー、マンドリン、ウクレレ、ブズーキ、または同様のものであり得る。パーカッションシステムは、パーカッション装置と接続要素とを含み得る。パーカッション装置は、演奏者によって叩かれる静止打面を含み得る。静止打面は、パーカッション装置の胴体に対して移動できないように、胴体に不動に接続され得る。静止打面が叩かれると、パーカッション装置は音を形成し得る。この音は、ドラム音、バス音、キック音、またはパーカッション装置が発生させ得る他の何れかの音であり得る。一部の実施形態において、パーカッション装置は、演奏者が打面を叩いたときに移動するように構成された動的打面を含み得る。
【００１０】
本発明の複数の実施形態によるパーカッションシステムは、演奏者の同じ手の移動で打面の打撃と弦楽器の弦のかき鳴らしとを行えるようにし得る。打面は、弦をかき鳴らすために振った手の同じ振りで（下降行程または上昇行程のどちらかで）打面を所定の時間以内に、例えば０．０１秒未満に、打てるように、弦の下方または上方に配置され得る。発生する音のリズム（例えば、打面を打つペース）は、手の振りの頻度と同様であり得る。そうするために、本発明の複数の実施形態によるパーカッションシステムは、パーカッション装置が弦楽器に接続されたときに打面のバッタ側（例えば、露出側、外側、バッタヘッド、等々）が弦楽器の表側に対してほぼ垂直になり、且つ弦楽器の弦の方を向くように、パーカッション装置を弦楽器に接続するための接続要素を含み得る。本発明の一部の実施形態によるパーカッション装置は、アコースティック音および／または電子音を発生させるように構成され得る。
【００１１】
次に、本発明の一部の実施形態による例示的パーカッションシステムの図である図１Ａおよび図１Ｂを参照する。パーカッションシステム１００の一実施形態は、パーカッション装置１０５（図１Ｂに図示）と、パーカッション装置１０５を弦楽器に接続するための接続要素１３０とを含み得る。パーカッション装置１０５は、胴体１１０と胴体１１０上に配置された少なくとも１つの静止打面１２０とを含み得る。
【００１２】
胴体１１０は、打面１２０を支持できる任意の形状を有し得る。胴体１１０は、中空または中実であり得る。一部の実施形態によると、胴体１１０は箱または枠の形態を有し得る。胴体１１０は、共鳴箱（共鳴板（ｓｏｕｎｄｉｎｇ  ｂｏａｒｄ）、共鳴胴（ｓｏｕｎｄｉｎｇ  ｂｏｘ）、または響板（ｓｏｕｎｄ  ｂｏａｒｄ）としても当該技術分野において公知）を備え得る。胴体１１０は、１つ以上のコネクタ１１４を含み得る。一部の実施形態によると、コネクタ１１４は、システム１００の装置１０５を増幅器、音モジュール、プロセッサ、圧電素子、または同様のものに接続し得る。コネクタ１１４は、パーカッションシステム１００に含まれている電子部品を外部システムに有線または無線通信装置を介して接続することを可能にし得る何れかの装置を含み得る。コネクタ１１４は、有線通信を行うための線を接続するためのコネクタ、および／または無線通信を行うためのアンテナまたは送受信機、を含み得る。無線通信は、Ｗｉ−Ｆｉ（登録商標）通信、ブルートゥース（登録商標）通信、または同様のものを含み得る。
【００１３】
一部の実施形態において、胴体１１０は、静止打面１２０を取り付けるための取り付け要素１１２を複数含み得る。取り付け要素１１２は、打面を胴体に取り付けるための何れかの装置、手段、物体、または同様のものを含み得る。例えば、図１Ｂに示されている取り付け要素１１２は、複数のレールを含み得る。更に別の例において、取り付け要素１１２は、クランプ、ネジ、粘着シール、接着剤、または同様のものを含み得る。取り付け要素１１２は、或る種類の打面１２０から別の種類の打面への交換を可能にし得る。例えば、スネアワイヤを備えた打面（図４Ａおよび図４Ｂに関して図示および説明）から電子ドラムトリガを備えた打面（図５Ａおよび図５Ｂに関して図示および説明）への交換を可能にし得る。
【００１４】
少なくとも１つの静止打面１２０が複数の取り付け要素１１２によって胴体１１０に取り付けられ得る。打面１２０は、バッタ側１２２と内側１２４とを有し得る（図３Ｂに図示）。打面１２０は、打面１２０が打たれたときに胴体１１０に対する打面１２０の大幅な移動を許容しないように、例えば、打面１２０の最大の移動が僅かな移動（数ミリメートル（ｍｍ）の移動など）であるように、取り付け要素１１２によって胴体１１０に不動に接続され得る。この移動は、打面１２０に含まれている材料の弾性に起因し得る。
【００１５】
一部の実施形態において、パーカッションシステム１００は、２つ以上の打面を含み得る。このような場合、これら打面のうちの少なくとも１つは、静止打面１２０であり得る。別の打面（単数または複数）は静止打面（例えば、打面１２０）または動的打面であり得る。本発明の一部の実施形態による動的打面とは、演奏者によって打たれたときに胴体１１０および／または接続要素１３０に対する移動が許容される打面と定義され得る。例示的な動的打面は、以下に図６Ａ〜図６Ｃおよび７Ａ〜図７Ｃの実施形態に関して開示されている。
【００１６】
打面１２０は、打たれたときに音を発生させる何れかの要素または装置を含み得る、またはこのような要素または装置に含まれ得る。例えば、胴体１１０が共鳴箱を含む場合、打面１２０は、図１Ａおよび図１Ｂに示されているように共鳴箱の開口部上に載置されたドラムスキンを含み得る。一部の実施形態において、ドラムスキンは、胴体１１０の２つの対向面、打面１２０、および共鳴箱のもう一方の側の反対の面に配置され得る。
【００１７】
一部の実施形態において、打面１２０は、胴体１１０の上に糊付けされた弾性材料を含み得る。このような弾性材料は、皮革またはプラスチック、または同様のものを含み得る。このような場合、胴体１１０は、弾性打面１２０を胴体１１０上に伸張するための伸張用要素（図示せず）を含み得る。この伸張は、音の高さの変化、したがって弾性打面１２０の調整、を可能にし得る。例えば、１つの実施形態によると、伸張している打面１２０が打たれると、打面１２０はより高い音を発生させ得る。
【００１８】
一部の実施形態において、静止打面１２０は硬質材料製の板を含み得る。この板は、胴体１１０の上に載置され、この板の少なくとも１つの辺から胴体１１０に接続される。このような硬質板は、多少の弾性を有し得る、更には、例えば、金属（例えば、アルミニウム合金、銅合金鋼、または同様のもの）製の薄板を含み得る。硬質打面１２０は、例えば、ネジ、ボルト、接着剤、レール、または同様のものを用いて１つ、２つ、またはそれ以上の辺で胴体１１０に接続され得る。胴体１１０へのこの接続は、材料の弾性により、および／または面１２０を胴体１１０に接続する取り付け要素１１２の弾性により、打面１２０の僅かな移動を許容し得る。
【００１９】
一部の実施形態において、パーカッションシステム１００は、システム１００のパーカッション装置１０５を弦楽器に接続するための接続要素１３０を更に含み得る。接続要素１３０は、弦楽器（例えば、図２Ａ〜図２Ｃに示されている楽器２００）へのパーカッション装置１０５の簡単な取り付けおよび取り外しを可能にする何れかの要素、装置、システム、または同様のものを含み得る。接続要素１３０は、更に、打面１２０が弦楽器の表板に垂直になり、且つ打面１２０の露出面またはバッタヘッド（例えば、バッタ側１２２）が弦楽器の弦の方を向き得るように、パーカッション装置１０５を弦楽器に接続し得る。
【００２０】
次に、本発明の一部の実施形態による、弦楽器に接続されたパーカッションシステムの前面図および側面図である図２Ａおよび図２Ｂを参照する。パーカッションシステム１００は、打面１２０のバッタ側１２２が弦楽器の表板２１０に対してほぼ垂直になり得るように、且つ弦楽器２００の弦２２０の方に更に向き得るように、弦楽器２００に接続され得る。弦楽器２００は、例えば、ギター（図示）、シタール、エレキギター、エレキベース、ダブルベース、ルバーブ、バンジョー、マンドリン、ウクレレ、ブズーキ、または同様のものであり得る。一部の実施形態において、接続要素１３０は、演奏者が弦楽器２００の弦２２０を弾き手でかき鳴らしながら打面１２０のバッタ側１２２を打てるように、パーカッション装置１０５を弦楽器に接続し得る。
【００２１】
一部の実施形態において、弦楽器２００は表板２１０などの板を必ずしも含むとは限らない。弦楽器２００は、例えば電気チェロなど、胴体が小さい、または胴体がない、電気式弦楽器であり得る。このような場合、打面１２０のバッタ側１２２は、弦楽器の表側に対してほぼ垂直になり得る。弦楽器２００の表側は、弦の側として定義され得る。
【００２２】
一例示的パーカッションシステムは、打面１２０が弦楽器の表側２１０に対してほぼ垂直になり、且つ弦楽器２００の弦２２０の方に向くように、パーカッションシステム１００を弦楽器に取り外し可能に接続するように構成されたクランプ１３５（図１Ａおよび図２Ａ〜図２Ｃに図示）を含み得る。
【００２３】
図１Ａおよび図２Ａ〜図２Ｃに示されている例示的クランプ１３５は、調整可能なアーム１３６と、締め具１３７と、調整ネジ１３８とを含む。例示的クランプ１３５は、調整ネジ１３８を締める、または弛める、ことによって調整され得る。図１〜図２に示されているクランプ１３５は単なる一例として与えられており、本発明は全体としてこの特定のクランプに限定されず、したがって接続要素１３０は、図８Ａ〜図８Ｃに関して図示および説明されているように、打面１２０が弦楽器の表側２１０に対してほぼ垂直になり、且つ弦楽器２００の弦２２０の方に向くように、弦楽器へのシステム１００のパーカッション装置１０５の接続を可能にし得る任意のクランプまたはクランプ機構を含み得ることを当業者は理解すべきである。一部の実施形態において、接続要素１３０は、打面１２０に対して垂直な胴体１１０の側面に配置され得る。接続要素１３０は、取り外し可能な粘着シール、吸盤、面ファスナ、少なくとも１つのネジ、または同様のもののうちの少なくとも１つを含み得る。
【００２４】
接続要素１３０は、例えば、手のサイズがそれぞれ異なるさまざまな演奏者に合わせるために、システム１００のパーカッション装置１０５の位置の調整を可能にするように構成され得る。例えば、パーカッションシステム１００は、図２Ｃに示されているようにバッタ側１２２が弦の方に向くように、弦の上方および／または下方に配置され得る。図２Ｃの実施形態においては、２つのパーカッションシステム１００が同じ弦楽器２００の弦の上方および下方に接続されている。
【００２５】
一部の実施形態において、接続要素１３０は、パーカッション装置１０５の、およびシステム１００の、向きの調整を可能にするように更に構成され得る。例えば、演奏者によるシステム１００の快適な操作を可能にするために、弦２２０に対するパーカッション装置１０５および／またはシステム１００および／または打面１２０の角度の僅かな調整（例えば、最大３０°）が更に可能であり得る。接続要素１３０は、弦２２０の下側の弦（または、弦の上方に接続される場合は、上側の弦）から打面１２０までの距離Ｄ１を調整するように構成され得る。接続要素１３０は、図２Ｂに示されているように、弦楽器２００の表側（例えば、板）２１０から打面１２０までの距離Ｄ２を調整するように更に構成され得る。
【００２６】
接続要素１３０は、胴体１１０の何れの側にも配置され得る。例えば、打面１２０の反対側、弦楽器の表側の反対側、等々に配置され得る。パーカッションシステム１００は、２つの独立した装置を含み得る。すなわち、胴体１１０と打面１２０とを備えたパーカッション装置１０５、および弦楽器へのパーカッション装置１０５の取り付けが必要とされるときにのみパーカッションシステムに取り付けられ得る独立した接続要素１３０である。一部の実施形態において、単一の接続要素１３０は、それぞれ異なる胴体１１０および／またはそれぞれ異なる打面１２０を有するいくつかの異なるパーカッション装置１０５を接続するように構成され得る。このようなパーカッション装置１０５は交換可能であり得るので、演奏者は同じ接続要素１３０を用いてどのパーカッション装置１０５を接続するかを決定し得る。例えば、演奏者は、スネアワイヤを備えたパーカッション装置１０５（図４Ａおよび図４Ｂに図示）から電子ドラム（図５Ａおよび図５Ｂに図示）に交換し得る。演奏者は、接続要素１３０を弦楽器に接続したままにすることを選択し得る、更には、選択したパーカッション装置１０５を接続し得る。
【００２７】
一部の実施形態においては、システム１００の要素（例えば、胴体１１０、打面１２０、および接続要素１３０）の全てが取り外し可能であり得る、更には、これらの要素は、弦楽器の演奏前に、例えば要素１１２などの取り付け要素を用いて、一体に組み立てられ得る。
【００２８】
次に、本発明の一部の実施形態によるパーカッション装置の図である図３Ａおよび図３Ｂを参照する。図３Ａは、打面１２０のない装置１０５の上面斜視図である。図３Ｂは、胴体１１０の１つの側板を取り外した後のパーカッション装置１０５の側面斜視図である。パーカッション装置１０５の複数の実施形態は、少なくとも１つのバス音形成要素１２６を備えた打面１２０を含み得る。バス音形成要素は、演奏時にバス音を発生させる電気式、機械式、または電気機械式装置を１つ以上含み得る。一例示的電気式バス音形成要素は、圧電素子（図３Ａ〜図３Ｂに図示）、マイクロフォン、コイルが巻き付けられた磁石（エレキギターのピックアップと同様）、または同様のものを含み得る。バス音形成要素は、コネクタ、例えばコネクタ１１４、を介して増幅システムに接続され得る。１つ以上のケーブルまたはアンテナが要素１２６をコネクタ１１４に接続し得る。
【００２９】
圧電素子またはマイクロフォンなどの電気式バス音形成要素は、減衰要素を更に必要とし得る。一例示的実施形態において、パーカッション装置１０５は、電気式バス音形成要素の少なくとも１つの表面を覆う（例えば、保護する）ための減衰要素１２７（図３Ｂに図示）を少なくとも１つ更に含み得る。一部の実施形態においては、望ましくない振動を低減させるための追加のダンピング要素１２７がバス音形成要素１２６のもう一方の側（内側）を覆い得る。このようなバス音形成要素は、相対的に大きなアコースティックボディを有する大型バスドラムが発生させるバス音と同様のバス音を発生させ得る。例えば、大型バスドラムは、１６〜２８インチ（４０．６４〜７１．１２ｃｍ）の直径範囲と１４〜２２インチ（３５．５６〜５５．８８ｃｍ）の深さ範囲とを有し得る。
【００３０】
更に、図３Ａおよび図３Ｂにおいて、パーカッション装置１０５の複数の実施形態は、ラトラ１４０を更に含み得る。ラトラ１４０は、例えば、（図示のような）スネアドラムワイヤ、ドッグタグチェーン、糸に通されたビーズ、または振動して表面に当たると音を発生させる他の何れかの要素を含み得る。ラトラ１４０は、胴体１１０および／または打面１２０に接続され得る。ラトラ１４０は、打面１２０が打たれたときに、例えば、スネアドラムの独特の音と同様の音を発生させるために、がたつき得る。打面１２０は打たれると振動し、振動をラトラ１４０および／または胴体１１０に伝達し得る。追加の例示的ラトラは、胴体１１０に設けられた溝（例えば、凹部）に組み込まれた針金または糸に通されたビーズを含み得る。打面１２０を打つと、ビーズは音を発生させ得る。
【００３１】
システム１００は、ラトラ１４０および／または打面１２０が発生させた音を取り込んで増幅するための追加の圧電素子またはマイクロフォン１５０を更に含み得る。装置１５０は、コネクタ１１４を介して増幅器およびスピーカ（図示せず）に接続され得る。
【００３２】
図４Ａおよび図４Ｂの例示的実施形態において、システム１００は、打面１２０に接続されたスネアドラムワイヤ１２１を１本以上含み得る。打面１２０は、開口枠の形状を有する胴体１１０に取り付けられ得る。開口枠は、打面１２０がそこに接続される支持板１１１を１つ以上含み得る。このような一例示的実施形態は、ワイヤを伸張させるための機構または要素を更に含み得る。この機構は、胴体１１０に配置または接続され得る、更には、スネアワイヤを伸張させるように構成されたネジ、ばね、レバー、または他の何れかの要素を含み得る。一部の実施形態によると、システム１００は、スネアワイヤが弦楽器２００の表側（例えば、表板２１０）に対してほぼ垂直になるように、弦楽器２００に接続され得る。
【００３３】
一部の実施形態において、打面１２０は、電子ドラムトリガを含み得る。電子ドラムトリガを含む一例示的パーカッションシステム５００が図５Ａおよび図５Ｂに示されている。図５Ａは、弦楽器２００に接続されたシステム５００のパーカッション装置５０５の図であり、図５Ｂは、システム５００のパーカッション装置５０５の底面図である。パーカッションシステム５００は、パーカッション装置５０５と、パーカッションシステム５００を弦楽器に接続するための接続要素１３０（図示せず）とを含み得る。パーカッション装置５０５は、胴体１１０と胴体１１０上に配置された少なくとも１つの静止打面１２０とを含み得る。
【００３４】
一部の実施形態において、打面１２０に含まれる電子ドラムトリガは、プロセッサまたは発音モジュールに（例えば、コネクタ１１４を介して）接続された、接触に対して敏感な表面を備え得る。プロセッサは、一組の選択された音および効果をプロセッサまたは発音モジュールに対応付けられた記憶ユニットに保存されているサンプリングまたはモデル化された音から生じさせ得る。このような音は、バス音、ドラム音、楽器音、または同様のものを含み得る。このような電子ドラムトリガの打面１２０は、タッチスクリーン、動き検出器、１つ以上のトリガ５１０（図５Ｂに図示）、または同様のものを含み得る。接触または打撃を感知すると、打面は、予めプログラミングされた音を発生させるために、信号をプロセッサまたは音モジュールに送出し得る。この音は、更に、プロセッサまたはドラムモジュールと通信する増幅器によって増幅され得る。一部の実施形態において、取り付け要素１１２は、電子ドラムトリガを含む打面を胴体１１０に取り付けるためのクランプを含み得る。
【００３５】
図５Ａおよび図５Ｂに示されているシステム５００の例示的パーカッション装置５０５において、打面１２０は、打面１２０の内側（例えば、内側１２４）に、場合によってはダンピング要素を介して、接続された２つの圧電素子５１０を含み得る。各素子５１０は、ケーブル５２０を介してコネクタ１１４に接続され得る。打撃を感知すると、１つ以上の素子５１０は、音、例えば、バスドラム音、を発生させるために、信号を音モジュールまたはプロセッサに送出し得る。
【００３６】
一部の実施形態において、パーカッションシステム５００は、１つ以上の圧電素子を含み得る。この圧電素子は、打面１２０、例えば、図３Ａおよび図３Ｂに関して図示および説明した装置１２６、に含まれ得る。この圧電素子は、図５Ａおよび図５Ｂに示されているパーカッション装置５１０などの電子ドラムに含まれ得る。加えて、または代わりに、この圧電素子は、パーカッションシステム５００内の他の場所に組み込まれ得る、更には、マイクロフォン、例えば図３Ｂに示されている圧電素子１５０、として機能するように構成され得る。
【００３７】
一部の実施形態において、打面１２０は、タッチスクリーンを有するスマートフォンまたはタブレットであり得る。スマートフォンまたはタブレットは、胴体１１０に取り付けられ得る、更には、タッチスクリーンへの接触または打撃の感知時に音を発生させるためのアプリケーションを含み得る。演奏者はアプリケーションを選択およびアップロードし、スマートフォンまたはタブレットを胴体１１０に取り付け得る。その場合、胴体１１０の取り付け要素１１２は、スマートフォンまたはタブレットを取り付けるためのクランプまたは粘着シールなどの取り付けシステムを含み得る。
【００３８】
一部の実施形態において、第１の取り外し可能または交換可能な打面１２０は、第２の取り外し可能または交換可能な打面１２０に交換され得る。胴体１１０は、取り外し可能な打面１２０を取り付けるための取り付け要素（例えば、要素１１２）を複数含み得る。第１の交換可能な打面１２０は、第１の音を発生させるように構成され得る。第２の交換可能な打面１２０は、第２の音を発生させるように構成され得る。演奏者は、求められる音に応じて、交換可能な打面１２０の交換を選択し得る。第１および第２の交換可能な（取り外し可能な）打面１２０は、ほぼ同様であり得る。例えば、第１および第２の金属板の板厚が異なり得る場合、第１および第２の打面１２０はどちらも金属薄板を含み得る。あるいは、第１および第２の取り外し可能な打面１２０は、互いに異なり得る。例えば、第１の打面は、タッチスクリーンを備えた電子ドラムトリガを含み得る。第２の打面は、圧電素子を備えたバス発生要素を含み得る。
【００３９】
一部の実施形態において、パーカッションシステム１００は、パーカッションシステムの近傍における動きを検出するための動き検出器（図示せず）を含む。動き検出器は、センサの近傍、例えば、１〜１０センチメートル（ｃｍ）の距離、における動きを検出するように構成された光学、超音波、マイクロ波、または音響センサを１つ以上含み得る。動き検出器は、スピーカを用いて再生および増幅され得る音が記憶された発音モジュールまたはプロセッサと通信し得る。動き検出器から所定の距離における動き、例えば検出器から５ｃｍにおける手の振り、を検出すると、検出器は、所定の音を発生させるための信号を発音モジュールに送出し得る。検出器の近傍における手の振りは、例えば、発生させる音のリズムが手の振りの頻度と同様になるように、単一の音を発生させ得る。
【００４０】
一部の実施形態において、パーカッション装置１０５は、他のパーカッションまたは発音器を更に含み得る。例えば、パーカッション装置１０５は、胴体１１０に取り付けられた、または組み付けられた、タンバリン様の装置を含み得る。図５Ｃは、タンバリン様の装置１６０を備えた一例示的パーカッション装置１０５の図である。タンバリン様の装置１６０は、装置１６０が演奏者によって打たれたときに互いにぶつかるように構成された２つ以上の金属円板１６２を含み得る。更に別の例において、パーカッション装置１０５は、打面１２０に組み付けられた、または含まれた、シロホンを含み得る。
【００４１】
一部の実施形態において、静止打面１２０は、例えば、弦楽器の共鳴箱、または音を発生させるための他の何れかの表面（例えば、弦楽器またはパーカッション装置に含まれていない表面、例えば外付けドラム）を叩くための機械式または電気機械式タッピング装置を電気的にトリガするように構成され得る。このような２つの例示的機械式装置が図６および図７に関して本願明細書に開示されている。静止打面１２０は、例えば、圧電素子、タッチスクリーン、センサ、または表面が打たれたときに電気信号をトリガするように構成され得る他の何れかの装置、などのトリガを含み得る。この電気信号は、電気機械式タッピング装置を起動し得る。この電気機械式タッピング装置は、電気モータまたは他の電気機械式アクチュエータ、伝達ユニット、およびタッピング要素を含み得る。電気モータは、伝達ユニットにタッピング要素を起動させるように、更にはタッピング要素に弦楽器の共鳴箱を叩かせるように、構成され得る。例示的な伝達ユニット６３５および７３５と例示的なタッピング要素６５０および７５０とを以下に開示および説明する。
【００４２】
一部の実施形態において、パーカッション装置に含まれている打面は非静止（例えば、動的）であり得、これは演奏者によって打たれたときに移動するように構成され得ることを意味する。このようなパーカッションシステムは、アクチュエータ、タッピング要素、および伝達ユニットを更に含み得る。アクチュエータは、打面のバッタ側が打たれたときに第１の軸線に沿って移動するように構成され得る。伝達ユニットは、第１の軸線に沿ったアクチュエータの移動を第２の軸線に沿ったタッピング要素の移動に変換するように構成され得る。一部の実施形態において、第１の軸線と第２の軸線とは互いに対してほぼ垂直であり得る。パーカッション装置は、接続要素を介して、例えば、パーカッション装置が弦楽器に接続されたときに打面のバッタ側が弦楽器の表板に対してほぼ垂直になり得るように、且つ弦楽器の弦の方に向き得るように、パーカッション装置を弦楽器に接続するように構成され得る接続要素１３０を介して、弦楽器に接続され得る。動的打面と伝達ユニットとをそれぞれ備えた例示的パーカッション装置が図６Ａ〜図６Ｃおよび図７Ａ〜図７Ｃに示されている。
【００４３】
次に、本発明の一部の実施形態による例示的パーカッションシステム６００の図である図６Ａ〜図６Ｃを参照する。パーカッションシステム６００の複数の実施形態は、打面６２０と、アクチュエータ６３０と、伝達ユニット６３５と、タッピング要素６５０とを含むパーカッション装置６０５を含み得る。システム６００は、パーカッションシステム６００を弦楽器２００に接続するための第１の接続要素１３０を更に含み得る。一部の実施形態において、パーカッション装置６０５は、胴体６１０を更に含み得る。胴体６１０は、上で開示した胴体１１０と同じ特性を有し得る。例えば、胴体１１０は中空であり得る。一部の実施形態によると、伝達ユニット６３５は、スリーブ６４５の内側に挿入されたケーブル６４０を含み得る。
【００４４】
打面６２０は、演奏者が弦（例えば、弦２２０）をかき鳴らしながら打つバッタ側６２２と内側（図示せず）とを有し得る。打面６２０の内側は、バッタ側６２２が打たれたときにアクチュエータ６３０に接続されるように、または接触するように、構成され得る。アクチュエータ６３０は、打面６２０によって押されたときに、または打たれたときに、ケーブル６４０を引っ張り得る何れかのシステムまたは機構である得る。アクチュエータ６３０は、演奏者の手が打面６２０から離れたときにアクチュエータ６３０を開始位置に戻すように構成されたばね要素を含み得る。ケーブル６４０は、アクチュエータ６３０に接続された第１の端部６４２と第２の端部６４４とを有し得る。打面６２０は、アクチュエータ６３０にケーブル６４０の第１の端部６４２を第１の軸線Ａに沿って引っ張らせるように、更にはケーブル６４０の第２の端部６４４にタッピング要素６５０を第２の軸線Ｂに沿って押させるように、構成され得る。軸線Ａおよび軸線Ｂは、互いに対して垂直、互いに平行、または互いに対して他の任意の角度、であり得ることを理解されたい。
【００４５】
一部の実施形態において、接続要素１３０によってパーカッションシステム６００が弦楽器２００に接続されているとき、ケーブル６４０の第１の端部６４２を引っ張ると、タッピング要素６５０が弦楽器２００の共鳴箱を叩いてアコースティックサウンドを発生させ得る。弦楽器の共鳴箱を叩くと、自然なリズミカルなバス音が形成され得る。
【００４６】
一部の実施形態において、第１の軸線Ａは、第２の軸線Ｂに対してほぼ垂直であり得る。例えば、軸線Ａと軸線Ｂとの間の角度は９０°±５°であり得る。一部の実施形態において、スリーブ６４５の少なくとも一方の端部６４６は、例えば胴体６１０に、固定され得る。ケーブル６４０は、スリーブ６４５内をスリーブ６４５に対して摺動するように構成され得る。
【００４７】
一部の実施形態において、タッピング要素６５０は、胴体６１０の外側に配置されたタッピングヘッド６５１と、タッピングヘッド６５１に一端６５２が接続されたシャフト６５８とを含み得る。タッピングヘッド６５１は、シャフト６５８によって押されると、弦楽器２００の表板２１０にぶつかり得る。これにより、弦楽器２００の共鳴箱が叩かれて、または打たれて、音を発生させる。タッピング要素６５０は、タッピング要素６５０をパーカッション装置６０５の胴体６１０に接続するための第２の接続要素６５４を更に含み得る。第２の接続要素６５４は、シャフト６５８が胴体６１０を貫通できるようにするためのアパーチャを有し得る。更に、第２の接続要素６５４は、胴体６１０に固定され得る。
【００４８】
一部の実施形態においては、第２の接続要素６５４に不動に接続されたリング６４９の内側をケーブル６４０が移動し得るように、スリーブ６４５はリング６４９に挿入され得る。ケーブル６４０は、引っ張られたときにケーブル６４０がシャフト６５８の他端６５９を第２の接続要素６５４に向けて引っ張り、タッピングヘッド６５１に弦楽器２００の表板２１０を叩かせるように、シャフト６５８の他端６５９に接続され得る。
【００４９】
一部の実施形態において、タッピング要素６５０は、ばね６６０を更に含み得る。一部の実施形態において、ばね６６０が圧縮されたときにタッピングヘッド６５１が弦楽器２００の表板２１０を叩き、ばね６６０が伸長したときに、弦楽器の表板２１０から離れる方向にタッピングヘッドを押すばね６６０の力によって、タッピングヘッド６５１がその元の位置に戻るように、ばね６６０は、シャフト６５８がケーブル６４０によって引っ張られたときに圧縮するように、そうでないときは再び伸長するように、構成され得る。
【００５０】
接続要素１３０は、パーカッションシステム１００に関して開示されている接続要素１３０とほぼ同様であり得る。接続要素１３０は、パーカッションシステム１００を弦楽器２００に接続するのと同様に、パーカッションシステム６００を弦楽器２００に接続し得る。したがって、上記の開示内容の全てがここで当てはまる。
【００５１】
一部の実施形態において、パーカッションシステム６００は、上で開示した打面１２０の複数の実施形態（例えば、ドラムスキン、スネアラトラ１４０、電子ドラムトリガ、バス音形成要素１２６、または同様のもの）のうちの少なくとも１つを更に含み得る。図６Ｃに示されているように、打面１２０が伝達ユニット６３５を覆うように、打面１２０は、例えば打面６２０に並べて、組み付けられ得る。
【００５２】
次に、本発明の一部の実施形態による動的打面を有するパーカッションシステムの更なる一実施形態を示す図７Ａ〜図７Ｃを参照する。パーカッションシステム７００は、バッタ側７２２および内側（図示せず）を有する打面７２０と、アクチュエータ７３０と、タッピング要素７５０と、伝達ユニット７３５とを含むパーカッション装置７０５を含み得る。システム７００のパーカッション装置７０５は、胴体７１０を更に含み得る。胴体７１０は、上記の胴体１１０の複数の実施形態のうちの一部とほぼ同様であり得る。システム７００は、接続要素１３０などの接続要素を更に含み得る。
【００５３】
アクチュエータ７３０は、打面７２０のバッタ側７２２が打たれたときに第１の軸線Ａ（図７Ｃに図示）に沿って移動するように構成され得る。アクチュエータ７３０は、第１の軸線Ａでの移動を伝達ユニット７３５に転送し得る何れかの機構を含み得る。伝達ユニット７３５は、第１の軸線Ａに沿ったアクチュエータの移動をタッピング要素７５０の第２の軸線Ｂに沿った移動に変換するように構成され得る（図７Ｃに図示）。一部の実施形態において、第１の軸線Ａおよび第２の軸線Ｂは互いに対してほぼ垂直であり得る。アクチュエータ７３０は、演奏者の手が打面７２０から離れたときに、またはバッタ側７２２に加えられていた力が除かれたときに、アクチュエータ７３０を開始位置に戻すように構成されたばね要素を含み得る。
【００５４】
伝達ユニット７３５は、ベルト７３６と、第１の円錐はめば歯車７４０に接続された第１のシャフト７４２と、第２のシャフト７４６に接続された第２の円錐はめば歯車７４５とを含み得る。第２のシャフト７４６は、タッピング要素７５０に接続され得る。伝達ユニット７３５は、ばね７４８を更に含み得る。打面７２０を打つと、アクチュエータ７３０が押し下げられるので、ベルト７３６が第１の円錐はめば歯車７４０を第１のシャフト７４２周りに回転させ得る。第１の円錐はめば歯車７４０は、第１のシャフト７４２周りの回転運動を第２のシャフト７４６の移動に、第２の円錐はめば歯車７４５を介して、変換し得る。第２のシャフト７４６は揺れて、図７Ｃに示されている弦楽器２００の側板２１０に向けて、軸線Ｂの方向にタッピング要素７５０を移動させ得る。
【００５５】
一部の実施形態において、伝達ユニット７３５は、ばね７４８を更に含み得る。一部の実施形態において、ばね７４８は、ばね７４８が伸長したときにタッピング要素７５０が弦楽器の表板２１０を叩き、収縮したときにタッピング要素７５０がその元の位置に戻るように、第２の円錐はめば歯車７４５によってシャフト７４６が押されたときに伸長するように、それ以外のときは収縮するように、構成され得る。
【００５６】
次に、本発明の一部の実施形態によるパーカッションシステム８００の図である図８Ａを参照する。パーカッションシステム８００は、例えば図１Ａに示されているような、パーカッション装置１０５（または、上で開示および説明した何れか他のパーカッション装置、例えば、図５Ａ、図６Ａ、および図７Ａにそれぞれ示されている装置５０５、６０５、および７０５）と、パーカッション装置１０５を弦楽器２００に接続するための接続要素８３０とを含み得る。接続要素８３０は、パーカッションシステム８００が弦楽器２００に接続されたときに打面１２０が弦楽器の表側２１０に対してほぼ垂直になり得るように、且つ弦楽器２００の弦２２０の方に向き得るように、パーカッション装置１０５を弦楽器２００に接続し得る。
【００５７】
接続要素８３０は、図８Ｂにより詳しく示されているように、響孔２５０の下縁から吊り下げられるように構成され得る。図８Ｂおよび図８Ｃは、本発明の一部の実施形態による接続要素の図である。接続要素８３０は、板８３１と、ホルダ８３３と、スペーサ８３４とを含み得る。スペーサ８３４は、ボルト、ネジ、または板８３１とホルダ８３３との間に所望の空間を形成するように構成され得る他の何れかの要素、であり得る。所望の空間は、少なくとも弦楽器２００の表側板２１０の厚さの寸法であり得る。一部の実施形態において、スペーサ８３４は、板８３１とホルダ８３３との間の間隔の調整を可能にするように、例えば特定の弦楽器２００に合わせるように、構成され得る。一部の実施形態において、板８３１、ホルダ８３３、およびスペーサ８３４のうちの少なくとも２つが単一の要素に含まれ得る。一部の実施形態において、スペーサ８３４は、特定の弦楽器（例えば、アコースティックギター）に合わせるように構成された一定の空間を形成し得る。板８３１、ホルダ８３３、およびスペーサ８３４の全てが単一のユニットとして形成され得る。
【００５８】
ホルダ８３３は、例えばネジ８３７（図８Ａに図示）を用いて、パーカッション装置１０５を保持するように、またはパーカッション装置１０５に取り付けられるように、構成され得る。一部の実施形態において、ホルダ８３３は、他の手段、例えば、磁石、クランプ、等を用いてパーカッション装置１０５に取り付けられ得る（および取り外され得る）。
【００５９】
本願明細書においては本発明のいくつかの特徴を図示および説明してきたが、当業者には多くの変形例、置換例、変更例、および均等物が想起されるであろう。したがって、添付の特許請求の範囲は、本発明の真の精神に属するような変形例および変更例の全てを網羅しようとするものであることを理解されたい。
【図１Ａ】
2018523856.tif 000003
【図１Ｂ】
2018523856.tif 000004
【図２Ａ】
2018523856.tif 000005
【図２Ｂ】
2018523856.tif 000006
【図２Ｃ】
2018523856.tif 000007
【図３Ａ】
2018523856.tif 000008
【図３Ｂ】
2018523856.tif 000009
【図４Ａ】
2018523856.tif 000010
【図４Ｂ】
2018523856.tif 000011
【図５Ａ】
2018523856.tif 000012
【図５Ｂ】
2018523856.tif 000013
【図５Ｃ】
2018523856.tif 000014
【図６Ａ】
2018523856.tif 000015
【図６Ｂ】
2018523856.tif 000016
【図６Ｃ】
2018523856.tif 000017
【図７Ａ】
2018523856.tif 000018
【図７Ｂ】
2018523856.tif 000019
【図７Ｃ】
2018523856.tif 000020
【図８Ａ】
2018523856.tif 000021
【図８Ｂ】
2018523856.tif 000022
【図８Ｃ】
2018523856.tif 000023
【国際調査報告】
2018523856.tif 000024
2018523856.tif 000025